(57)【要約】  【課題】冷房運転や除湿運転の冷房サイクル運転後に、室内機内部にカビなどが繁殖することを抑制するための暖房運転や送風運転による内部乾燥の運転を行うと、利用者に生暖かさや蒸し暑さによる不快感を与える場合がある。【解決手段】内部乾燥運転時に、第一の風向偏向手段により本体ユニットから吹き出す調和空気を水平方向もしくは水平方向より上方に吹き出すよう制御するとともに、前記第二の風向偏向手段によりファンユニットから吹き出す室内空気を水平方向より下方に吹き出すよう制御する。【選択図】図６
2018028402.tif 000002
【特許請求の範囲】
【請求項１】
吸込口と吹出口と熱交換器と送風ファンとを有し、前記吸込口から室内空気を吸い込み調和空気を生成して前記吹出口から吹き出す本体ユニットと、前記本体ユニットの側部に配置され、補助吸込口と補助吹出口と補助送風ファンを有し、前記補助吸込口から吸い込んだ室内空気を前記補助吹出口から吹き出すファンユニットと、前記調和空気の吹出方向を偏向する第一の風向偏向手段と、前記室内空気の吹出方向を偏向する第二の風向偏向手段と、前記本体ユニットと前記ファンユニットを制御する制御部とを備え、冷房運転または除湿運転の終了後に前記本体ユニットの内部を乾燥させる内部乾燥運転を行う空気調和機において、前記制御部は前記内部乾燥運転時に、前記第一の風向偏向手段により、前記調和空気を水平方向もしくは水平方向より上方に吹き出すよう制御するとともに、前記第二の風向偏向手段により、前記室内空気を水平方向より下方に吹き出すよう制御することを特徴とする空気調和機。
【請求項２】
吸込口と吹出口と熱交換器と送風ファンとを有し、前記吸込口から室内空気を吸い込み調和空気を生成して前記吹出口から吹き出す本体ユニットと、前記本体ユニットの側部に配置され、補助吸込口と補助吹出口と補助送風ファンを有し、前記補助吸込口から吸い込んだ室内空気を前記補助吹出口から吹き出すファンユニットと、人の位置を検出する人検知センサと、前記調和空気の吹出方向を偏向する第一の風向偏向手段と、前記室内空気の吹出方向を偏向する第二の風向偏向手段と、前記本体ユニットと前記ファンユニットを制御する制御部とを備え、冷房運転または除湿運転の終了後に前記本体ユニットの内部を乾燥させる内部乾燥運転を行う空気調和機において、前記制御部は前記内部乾燥運転時に、前記人検知センサの検出結果に基づいて、
前記第一の風向偏向手段により、前記調和空気を人の位置を避ける方向に吹き出すよう制御するとともに、前記第二の風向偏向手段により、前記室内空気を人の位置の方向に吹き出すよう制御することを特徴とする空気調和機。
【発明の詳細な説明】
【技術分野】
【０００１】
本発明は、空気調和機の室内機内部を乾燥させる内部乾燥の運転モードを備えた空気調和機に関する。
【背景技術】
【０００２】
空気調和機において、冷房運転や除湿運転を行うと、室内機に吸い込まれた室内空気を熱交換器で冷媒と熱交換する際に、蒸発器として動作する熱交換器に結露が生じる。
【０００３】
熱交換器に結露が生じた状態のまま運転を停止すると、室内機内部の温度が室温と同程度まで上昇し、室内機内部がカビなどが繁殖し易い環境となることが知られている。
【０００４】
このため、冷房運転や除湿運転を停止した後、室内機内部にカビなどが繁殖しないように自動的に暖房運転もしくは送風運転による内部乾燥を所定時間行う空気調和装置が提案されている。（例えば特許文献１参照。）
【先行技術文献】
【特許文献】
【０００５】
【特許文献１】特開平４−２７０８４４号公報
【発明の概要】
【発明が解決しようとする課題】
【０００６】
しかし、特許文献１のような内部乾燥運転を行うと、カビなどの繁殖を抑制できる反面、暖房運転による内部乾燥では熱交換器で暖められた調和空気が室内に吹き出されるため室内の温度が上昇したり、送風運転による内部乾燥では結露水が蒸発することで室内の湿度が上昇したりするため、利用者に不快感を与える場合があった。
【０００７】
本発明は、冷房運転や除湿運転の停止後、室内機内部にカビが繁殖することを抑制するために内部乾燥運転を行う際の、利用者の不快感を軽減することができる空気調和機を提供することを目的とする。
【課題を解決するための手段】
【０００８】
本発明は上述の課題を解決するため、本発明の請求項１に記載の空気調和機は、吸込口と吹出口と熱交換器と送風ファンとを有し、前記吸込口から室内空気を吸い込み調和空気を生成して前記吹出口から吹き出す本体ユニットと、前記本体ユニットの側部に配置され、補助吸込口と補助吹出口と補助送風ファンを有し、前記補助吸込口から吸い込んだ室内空気を前記補助吹出口から吹き出すファンユニットと、前記調和空気の吹出方向を偏向する第一の風向偏向手段と、前記室内空気の吹出方向を偏向する第二の風向偏向手段と、前記本体ユニットと前記ファンユニットを制御する制御部とを備え、冷房運転または除湿運転の終了後に前記本体ユニットの内部を乾燥させる内部乾燥運転を行う空気調和機において、前記制御部は前記内部乾燥運転時に、前記第一の風向偏向手段により、前記調和空気を水平方向もしくは水平方向より上方に吹き出すよう制御するとともに、前記第二の風向偏向手段により、前記室内空気を水平方向より下方に吹き出すよう制御することを特徴とする。
【０００９】
また、本発明の請求項２に記載の空気調和機は、吸込口と吹出口と熱交換器と送風ファンとを有し、前記吸込口から室内空気を吸い込み調和空気を生成して前記吹出口から吹き出す本体ユニットと、前記本体ユニットの側部に配置され、補助吸込口と補助吹出口と補助送風ファンを有し、前記補助吸込口から吸い込んだ室内空気を前記補助吹出口から吹き出すファンユニットと、人の位置を検出する人検知センサと、前記調和空気の吹出方向を偏向する第一の風向偏向手段と、前記室内空気の吹出方向を偏向する第二の風向偏向手段と、前記本体ユニットと前記ファンユニットを制御する制御部とを備え、冷房運転または除湿運転の終了後に前記本体ユニットの内部を乾燥させる内部乾燥運転を行う空気調和機において、前記制御部は前記内部乾燥運転時に、前記人検知センサの検出結果に基づいて、前記第一の風向偏向手段により、前記調和空気を人の位置を避ける方向に吹き出すよう制御するとともに、前記第二の風向偏向手段により、前記室内空気を人の位置の方向に吹き出すよう制御することを特徴とする。
【発明の効果】
【００１０】
本発明の空気調和機によれば、内部乾燥運転が行われた際の利用者の不快感を軽減することができる。
【図面の簡単な説明】
【００１１】
【図１】本発明による空気調和機の室内機の外観を示す斜視図である。
【図２】本発明による空気調和機の室内機の構成を示す分解斜視図である。
【図３】本発明による空気調和機の室内機の主筐体を正面から見た概略図である。
【図４】本発明による空気調和機の室内機の構成と、調和空気と室内空気の吹き出し方向を示す垂直断面図である。
【図５】本発明による空気調和機の室内機のファンユニットを示す斜視図である。
【図６】本発明による内部乾燥運転時の制御部の第１の実施例の制御を示すフローチャートである。
【図７】本発明による内部乾燥運転時の制御部の第２の実施例の制御を示すフローチャートである。
【発明を実施するための形態】
【００１２】
以下、本発明の実施の形態を、添付図面に基づいた実施例として詳細に説明する。なお、本発明は以下の実施形態に限定されることなく、本発明の主旨を逸脱しない範囲で種々変形することが可能である。
【実施例１】
【００１３】
第１の実施例の空気調和機１は、室内機１０と図示しない室外機で構成される。室内機１０は、図１と図２と図４に示すように、直方体形状の本体ユニット２０と、本体ユニット２０の左右の側部に設けられた一対のファンユニット３０を備える。本体ユニット２０の前面にはアウターパネル２３が配置される。この本体ユニット２０の天面側と前面側には室内空気を取り込むための吸込口２１が設けられる。前面側の吸込口２１と対向する位置には前面パネル２４が設けられ、この前面パネル２４はアウターパネル２３に覆われている。図４に示すように、本体ユニット２０の内部には、熱交換器２５と、クロスフローファンである送風ファン２７が配置される。送風ファン２７が回転することで、室内空気が吸込口２１より本体ユニット２０内に吸い込まれる。吸い込まれた室内空気は熱交換器２５で冷媒と熱交換され、調和空気が生成される。生成された調和空気は、本体ユニット２０の前面下部にある吹出口２２に設けられた第一の風向偏向手段である上下風向板２９ａ、２９ｂで上下方向に風向が偏向され、第一の風向偏向手段である左右風向板２８で左右方向に風向が偏向され、吹出口２２より室内へ吹き出される。
【００１４】
ファンユニット３０について、図１と図２と図３と図５を基に説明する。ファンユニット３０は、図１に示すように、本体ユニット２０の両側部にあるサイドファンカバー３５内に収まるように配置される。図２と図５に示すように、ファンユニット３０は、本体ユニット２０内の送風ファン２７の回転軸と平行な軸線４１回りで回動するように、サイドファンカバー３５に軸支されている。ファンユニット３０の回動機構８０である第二の風向偏向手段は、図５に示すように、モータ８０ａと駆動ギア８０ｂとラック８０ｃとローラ８０ｄで構成される。ラック８０ｃはファンユニット３０の円筒部７１に形成され、円筒部７１の円筒面７２に沿って円弧状に配置される。ラック８０ｃには駆動ギア８０ｂが噛み合い、駆動ギア８０ｂをモータ８０ａで回転させることでファンユニット３０が回動する。この回動機構８０により、ファンユニット３０から吹き出す室内空気を上下方向に偏向させる。また、ローラ８０ｄは軸線４１に対して等距離に複数配置され、駆動ギア８０ｂを回転させたときファンユニット３０を回動し易くしている。なお、第二の風向偏向手段には、この回動機構８０の他に補助吹出口３２に設けられる左右風向板３６も含まれる。左右風向板３６によりファンユニット３０から吹き出す室内空気を左右方向に偏向させる。
【００１５】
図３に示すように、ファンユニット３０は、室内空気を吸い込み、吸い込んだ室内空気を吹き出すための補助送風ファン３３を備えている。補助送風ファン３３はファンユニット３０の内部に配置される。補助送風ファン３３にはモータ３４が接続され、このモータ３４を回転させることで補助送風ファン３３が回転する。図２に示すように、ファンユニット３０には左右方向の軸線４１方向の外側から室内空気を吸い込む補助吸込口３１が配置され、補助吸込口３１から吸い込まれた室内空気を室内空間に吹き出す補助吹出口３２がファンユニット３０の前面側に配置される。
【００１６】
図３に示すように、本体ユニット２０の内部には電装品ユニット２６が配置されている。電装品ユニット２６には、時間を計時する計時部５２と送風ファン２７および補助送風ファン３３を制御する制御部５３と、記憶部５４が備えられる。
【００１７】
また、制御部５３は、本体ユニット２０の第一の風向偏向手段（左右風向板２８及び上下風向板２９ａ、２９ｂ）の風向板の向きを制御することで、吹出口２２から吹き出す調和空気の吹出方向を上下及び左右方向に偏向する。また、ファンユニット３０の第二の風向偏向手段（回動機構８０及び左右風向板３６）を制御することで補助吹出口３２から吹き出す室内空気の吹出方向を上下及び左右方向に偏向する。
【００１８】
記憶部５４には、冷房運転または除湿運転といった冷房サイクル運転により、熱交換器２５に結露が生じる運転時間としての第一の所定時間（例えば１０分）と、暖房運転もしくは送風運転による内部乾燥を行う内部乾燥運転により、熱交換器２５を含む本体ユニット２０の内部を乾燥させるために要する時間としての第二の所定時間（例えば３０分）が記憶されている。
【００１９】
次に、空気調和機１が内部乾燥運転を行う時の本体ユニット２０およびファンユニット３０の動作について説明する。空気調和機１は冷房運転または除湿運転といった冷房サイクル運転が停止された時、冷房サイクル運転が第一の所定時間（例えば１０分）以上行われていた場合に内部乾燥運転を行う。暖房による内部乾燥運転では、図４に示す熱交換器２５は本体ユニット２０内に吸い込まれた室内空気に放熱する凝縮器として機能している。熱交換器２５の温度を高くすることで表面の結露水の蒸発を促進し、本体ユニット２０の内部を乾燥させる。また、送風による内部乾燥運転では、吸込口２１から吸い込んだ室内空気で本体ユニット２０の内部を乾燥させる。
【００２０】
吹出口２２から吹き出される調和空気は、暖房運転による内部乾燥運転では熱交換器２５で暖められた調和空気が室内に吹き出されるため室内の温度が上昇する。また、送風運転による内部乾燥運転では結露水が蒸発することで室内の湿度が上昇することから、利用者に不快感を与える場合がある。
【００２１】
このため、空気調和機１は内部乾燥運転を行う際に、第一の風向偏向手段のうちの上下風向板２９ａ、２９ｂを水平方向もしくは水平方向より上方に吹き出すよう制御する。また、第二の風向偏向手段の回動機構８０を水平方向より下方に回動させるよう制御して、室内空気を吹き出すようにする。
【００２２】
このように風向を制御することで、内部乾燥運転が行われた際、第一の風向偏向手段により暖気や高湿度の調和空気を水平方向もしくは水平方向より上方に吹き出し、利用者に調和空気が直接当たりにくくすることで、利用者が感じる温度や湿度の上昇による不快感を軽減することができる。また、第二の風向偏向手段により室内空気を水平方向より下方に吹き出し、利用者に当てる事で利用者の体感温度を下げ、利用者の快適性を維持することもできる。
【００２３】
図６は、本発明による内部乾燥運転時の制御部５３の第１の実施例の制御を示すフローチャートである。図６の制御を開始する条件としては、リモコンから冷房運転や除湿運転といった冷房サイクル運転が指示されたものとする。なお、フローチャートに記載のＳＴはステップを表し、これに続く数字はステップ番号をそれぞれ表している。
【００２４】
図６に示すように制御部５３は、冷房運転や除湿運転といった冷房サイクル運転が指示されると、指示された冷房運転または除湿運転を開始する（ＳＴ１）。制御部５３は、計時部５２に冷房サイクルの運転時間の計時を開始させる（ＳＴ２）。制御部５３は、冷房サイクル運転の停止が指示されたか否かを判定する（ＳＴ３）、冷房サイクル運転の停止の指示がない場合（ＳＴ３−Ｎｏ）、ＳＴ３に戻る。一方、冷房サイクル運転の停止が指示された場合（ＳＴ３−Ｙｅｓ）、冷房サイクル運転を停止させて、計時部５２で計時させた冷房サイクルの運転時間が第一の所定時間以上であるか否かを判定する（ＳＴ４）。
【００２５】
制御部５３はＳＴ４において、冷房サイクルの運転時間が第一の所定時間以上ではない場合（ＳＴ４−Ｎｏ）、内部乾燥運転を行わずに制御を終了する。一方、冷房サイクルの運転時間が第一の所定時間以上である場合（ＳＴ４−Ｙｅｓ）、制御部５３は、第一の風向偏向手段（上下風向板２９ａ、２９ｂ）により送風ファン２７から吹き出す調和空気の吹き出し方向を水平方向または水平方向よりも上方に吹き出すように制御する（ＳＴ５）。制御部５３は、第二の風向偏向手段（回動機構８０）により補助送風ファン３３から吹き出す室内空気の吹き出し方向を水平方向よりも下方に吹き出すように制御する（ＳＴ６）。制御部５３は、暖房運転や送風運転といった内部乾燥運転を開始する（ＳＴ７）。制御部５３は、計時部５２に計時させていた冷房サイクルの運転時間をリセットし、計時部５２に内部乾燥運転時間の計時を開始させる（ＳＴ８）。制御部５３は、計時部５２に計時させている内部乾燥運転時間が第二の所定時間以上であるか否かを判定する（ＳＴ９）。
【００２６】
制御部５３はＳＴ９において、内部乾燥運転時間が第二の所定時間以上ではない場合（ＳＴ９−Ｎｏ）、ＳＴ９に戻る。一方、内部乾燥運転時間が第二の所定時間以上である場合（ＳＴ９−Ｙｅｓ）、内部乾燥運転を停止させる（ＳＴ１０）。そして、内部乾燥の運転の制御を終了する。なお、図６で説明したＳＴ５からＳＴ１０までの制御が本体ユニット２０の内部を乾燥させる内部乾燥運転である。
【実施例２】
【００２７】
第２の実施例は第１の実施例で説明した空気調和機１に、室内に居る人の位置つまり、利用者の位置を検出する人検知センサが備えられることで、調和空気の吹き出し方向を利用者を避ける方向に吹き出し、室内空気の吹き出し方向を利用者が居る方向に吹き出す制御をする例である。図１に示すように、アウターパネル２３の下部側の中央に人検知センサ５１が配置される。例えば、人検知センサ５１は空気調和機１が設置された室内の床面を９つに分割したエリアのうち、どのエリアに人が居るかを検出して人の位置を特定する。
【００２８】
実施例２の空気調和機１は、内部乾燥運転中に、第一の風向偏向手段（上下風向板２９ａ、２９ｂ、左右風向板２８）により、人検知センサ５１が検出した利用者の位置に基づいて、その位置を避ける方向へと調和空気を吹き出すよう制御する。例えば、室内機１０の背面側から前面側に向かって室内を見た時の右側の特定の位置に利用者が居ることを検出した場合、その位置を避ける室内の左側の方向へと吹き出すよう制御する。また、第二の風向偏向手段（回動機構８０、左右風向板３６）により、室内空気を利用者が居る特定の位置の方向に吹き出すよう制御する。
【００２９】
このように風向を制御することで、調和空気を水平方向もしくは水平方向より上方に吹き出す第１の実施例の空気調和機１よりも、調和空気を利用者に当らないようにすることができるため、利用者が感じる温度や湿度の上昇による不快感を更に軽減することができる。また、室内空気を水平方向より下方に吹き出す第１の実施例の空気調和機１よりも、室内空気を利用者に当てることができるため、利用者の体感温度を下げ利用者の快適性を維持することもできる。
【００３０】
図７は、本発明による内部乾燥運転時の制御部５３の第２の実施例の制御を示すフローチャートである。図７の制御を開始する条件は、図６の制御を開始する条件と同様とする。なお、フローチャートに記載のＳＴはステップを表し、これに続く数字はステップ番号をそれぞれ表している。
【００３１】
図７に示すように制御部５３は、冷房運転や除湿運転といった冷房サイクル運転が指示されると、指示された冷房運転または除湿運転を開始する（ＳＴ１１）。制御部５３は、計時部５２に冷房サイクルの運転時間の計時を開始させる（ＳＴ１２）。制御部５３は、冷房サイクル運転の停止が指示されたか否かを判定する（ＳＴ１３）、冷房サイクル運転の停止の指示がない場合（ＳＴ１３−Ｎｏ）、ＳＴ１３に戻る。一方、冷房サイクル運転の停止が指示された場合（ＳＴ１３−Ｙｅｓ）、冷房サイクル運転を停止させて、計時部５２で計時させた冷房サイクルの運転時間が第一の所定時間以上であるか否かを判定する（ＳＴ１４）。
【００３２】
制御部５３はＳＴ１４において、冷房サイクルの運転時間が第一の所定時間以上ではない場合（ＳＴ１４−Ｎｏ）、内部乾燥運転を行わずに制御を終了する。一方、冷房サイクルの運転時間が第一の所定時間以上である場合（ＳＴ１４−Ｙｅｓ）、制御部５３は、人検知センサ５１が室内に居る利用者の位置を検出したか否かを判定する（ＳＴ１５）。
【００３３】
制御部５３はＳＴ１５において、利用者の位置を検出した場合（ＳＴ１５−Ｙｅｓ）、第一の風向偏向手段（上下風向板２９ａ、２９ｂ、左右風向板２８）により送風ファン２７から吹き出す調和空気の上下方向及び左右方向の吹き出し方向を、検出した利用者の位置を避けた方向へと吹き出すよう制御する（ＳＴ１６）。制御部５３は、第二の風向偏向手段（回動機構８０、左右風向板３６）により補助送風ファン３３から吹き出す室内空気の上下方向及び左右方向の吹き出し方向を、検出した利用者の位置の方向へと吹き出すよう制御する（ＳＴ１７）。制御部５３は、暖房運転や送風運転といった内部乾燥運転中であるか否かを判定する（ＳＴ１８）。一方、制御部５３はＳＴ１５において、利用者の位置を検出できない場合（ＳＴ１５−Ｎｏ）、ＳＴ１８へ移行する。
【００３４】
制御部５３はＳＴ１８において、内部乾燥運転中ではない場合（ＳＴ１８−Ｎｏ）、暖房運転や送風運転といった内部乾燥運転を開始する（ＳＴ１９）。制御部５３は、計時部５２に計時させた冷房サイクル運転時間をリセットし、計時部５２に内部乾燥運転時間の計時を開始させる（ＳＴ２０）。制御部５３は、計時部５２に計時させた内部乾燥運転時間が第二の所定時間以上であるか否かを判定する（ＳＴ２１）。一方、制御部５３はＳＴ１８において、内部乾燥運転中である場合（ＳＴ１８−Ｙｅｓ）、ＳＴ２１へ移行する。
【００３５】
制御部５３はＳＴ２１において、内部乾燥運転時間が第二の所定時間以上である場合（ＳＴ２１−Ｙｅｓ）、内部乾燥運転を停止させる（ＳＴ２２）。そして、内部乾燥運転の制御を終了する。一方、内部乾燥運転時間が第二の所定時間以上ではない場合（ＳＴ２１−Ｎｏ）、ＳＴ１５に戻って内部乾燥運転時間が第二の所定時間以上になるまで、利用者の位置に基づいて調和空気の吹き出し方向を利用者の位置を避けた方向へと吹き出すよう制御し、室内空気の吹き出し方向を利用者の位置の方向へと吹き出すよう制御する。
【符号の説明】
【００３６】
１  空気調和機
１０  室内機
２０  本体ユニット
２１  吸込口
２２  吹出口
２５  熱交換器
２６  電装品ユニット
２７  送風ファン
２８  左右風向板（第一の風向偏向手段）
２９ａ、２９ｂ  上下風向板（第一の風向偏向手段）
３０  ファンユニット
３１  補助吸込口
３２  補助吹出口
３３  補助送風ファン
３４  モータ（補助送風ファン用）
３５  サイドファンカバー
３６  左右風向板（第二の風向偏向手段）
５１  人検知センサ
５２  計時部
５３  制御部
５４  記憶部
７１  円筒部
７２  円筒面
８０  回動機構（第二の風向偏向手段）
８０ａ  モータ（ファンユニット回動用）
８０ｂ  駆動ギア
８０ｃ  ラック
８０ｄ  ローラ
【図１】
2018028402.tif 000003
【図２】
2018028402.tif 000004
【図３】
2018028402.tif 000005
【図４】
2018028402.tif 000006
【図５】
2018028402.tif 000007
【図６】
2018028402.tif 000008
【図７】
2018028402.tif 000009